(57)【要約】【課題】  電源オン状態と電源オフ状態とで、同一のキーロック操作方法となるように、ＰＣが電源オフ状態でも閉塞と閉塞解除ができるキーロック手段を実現するかが課題である。【解決手段】  キーボードから受信したキーコードおよびマウスから受信したマウスデータのホストへの送信と、レジューム信号のホストへの送信とを実行する第一の動作モードと、キーボードから受信したキーコードおよびマウスから受信したマウスデータのホストへの送信と、レジューム信号のホストへの送信とを実施しない第二の動作モードと、を具備し、さらに、第一の動作モードと第二の動作モードのうち、どちらのモードで動作しているかを示す動作モード信号と、を備えたＲＦレシーバと、ＲＦレシーバから出力される動作モード信号に連動して作動するスイッチ回路を本体電源ボタン信号およびリモコンデータ信号に備える。【選択図】図１
2008046939.tif 000002
【特許請求の範囲】
【請求項１】
ホストインターフェースがＵＳＢであって、キーボードおよびマウスと電波によって接続される電波送受信ユニットにおいて、キーボードから受信したキーコードおよびマウスから受信したマウスデータのホストへの送信と、レジューム信号のホストへの送信とを実行する第一の動作モードと、キーボードから受信したキーコードおよびマウスから受信したマウスデータのホストへの送信と、レジューム信号のホストへの送信とを実施しない第二の動作モードと、を持つことを特徴とした電波送受信ユニット。
【請求項２】
請求項１記載の電波送受信ユニットであって、第一のキーコード保持手段と、第二のキーコード保持手段とを備え、キーボードから受信したキーコードが第一のキーコード保持手段と一致した場合には前記第一の動作モードに移行し、キーボードから受信したキーコードが第二のキーコード保持手段と一致した場合には前記第二の動作モードに移行する、ことを特徴とした電波送受信ユニット。
【請求項３】
請求項１記載の電波送受信ユニットであって、キーボードの電池残量監視手段を備え、電池残量が所定の閾値を下回った場合には前記第一の動作モードで動作することを特徴とした電波送受信ユニット。
【請求項４】
請求項１記載の電波送受信ユニットであって、前記第二の動作モードは、キーボードから受信したキーコードおよびマウスから受信したマウスデータのホストへの送信と、レジューム信号のホストへの送信とを実施せず、かつ、所定のキーコードを所定の時間間隔で自動的にホストへ送信する、ことを特徴とした電波送受信ユニット。
【請求項５】
前記第一の動作モードと前記第二の動作モードのうち、どちらのモードで動作しているかを示す動作モード信号を備えた請求項１記載の電波受信ユニットと、前記動作モード信号に連動して作動するスイッチ回路と、
を備えたことを特徴とした情報処理機器。
【発明の詳細な説明】
【技術分野】
【０００１】
本発明は，パーソナルコンピュータ（以下，ＰＣと略す）の操作手段を任意に閉塞あるいは閉塞解除するのに好適な技術に関する。
【背景技術】
【０００２】
近年、テレビ視聴機能やＤＶＤ再生機能を搭載したＰＣが広く普及している。これに伴い、キーボードやマウスといった従来のＰＣの操作手段に加えてリモートコントロールユニット（以下、リモコンと略す）が添付され、テレビ視聴やＤＶＤ再生機能などをリモコンによって操作するＰＣが多く見られる。さらに、従来ではケーブルによって接続されていたキーボードやマウスも、電波を利用した無線接続型のキーボードとマウスがＰＣに添付されるようになっており、ＰＣの利用形態はより家電らしさを増している。
【０００３】
ところで、テレビ視聴機能やＤＶＤ再生機能をＰＣが搭載することにより、従来のＰＣではあまり想定されていなかった利用シーンでＰＣが利用されるようになってきた。例えば、ＰＣがＤＶＤ再生機能を搭載する前まではＤＶＤ再生機とテレビ受像機によってＤＶＤ再生機能が利用されていたわけであるが、これらの機器を使って母親が家事の最中に子供にＤＶＤアニメを見せておくといった用途があった。つまり、ＤＶＤ再生機能を子守りに利用して家事をスムーズに行えるようにするという利用シーンである。ＤＶＤ再生機能を搭載したことによってＰＣがこのようなシーンで利用されることを想定したとき、子供のいたずらによる操作に対する配慮が必要になってくる。前述したように、ＰＣにはキーボード、マウス、リモコンといった多くの操作手段が備えられており、これらの操作手段が格好のいたずら対象となりうるためである。また、ＤＶＤ再生機能の搭載有無に関わらず、ＰＣの電源が子供のいたずらによって投入されないような配慮も必要であった。例えば、子供の手の届かないところにＰＣやキーボード、マウスを置くといった行為が必要であった。
【０００４】
ＰＣの利用シーンの変化と今後の利用機会の拡大を考えるとき、ＰＣが備える操作手段を任意に閉塞あるいは閉塞解除できる手段（以下、キーロック手段と称す）をＰＣが備えることが望まれる。さらにキーロック手段は、なるべく簡単かつ手軽に利用でき、かつ、ＤＶＤ再生機能を利用しているような電源オン状態と電源オフ状態とで、同一のキーロック操作方法となることが好ましい提供形態である。
【０００５】
ここで、ＰＣの電源がオフ状態である時のキーロック手段をさらに考察するため、近年のＰＣが搭載している電源ボタンについて述べる。近年のＰＣは、一般的に複数の電源ボタンを備えており、その代表例としては次の３つが挙げられる。一つ目の例は、ＰＣ本体に備えられている電源ボタンである。二つ目はキーボードに備えられている電源ボタン（キー）、そして三つ目はリモコンに備えられている電源ボタンである。使用者は、これらの電源ボタンのどのボタンを押下してもＰＣの電源を投入することができる。特に最近では、これら複数の電源ボタンのうち、どの電源ボタンでＰＣの電源が投入されたかを判別し各電源ボタンに関連付けられた固有の機能を起動する、という機能が追加されている。例えば、リモコンの電源ボタンで起動された場合はＴＶ視聴機能を自動起動する。あるいは、キーボードの電源ボタンで起動された場合はインターネット閲覧ソフトを自動起動する。またあるいは、本体の電源ボタンで起動された場合は特別な起動をせずにオペレーティングシステムの標準画面になるまでの起動をする。この機能により、使用者がこれから利用しようとしている機能を電源投入時に選択できるようになり、ＴＶ視聴機能やインターネット閲覧ソフトをわざわざ起動する手間が省けるので、ＰＣの使い勝手が向上する。
【０００６】
以下では、上述した３つの例の電源ボタン押下操作が、どのように作用してＰＣの電源が投入されるのかを、図３を用いて述べる。はじめに、ＰＣ本体３０に備えられている電源ボタン（以下、本体電源ボタンと称す）３１１の場合である。本体電源ボタン３１１はプッシュ型のスイッチで構成されており、システムＬＳＩ３０２が備える電源制御部３０６に本体電源ボタン信号３１７を介して接続されている。電源制御部３０６は、補助電源３０５によって給電されているため、ＰＣの電源オフ状態でも本体電源ボタン信号３１７を検出することができる。そして、本体電源ボタン押下操作による本体電源ボタン信号３１７の状態変化を検出すると、電源ユニット３０３に対して主電源３０４を投入するための電源オン信号３１６を出力する。電源オン信号３１６を受信した電源ユニット３０３は主電源３０４の給電を開始する。
【０００７】
次に、リモコン３１５に備えられている電源ボタン（以下、リモコン電源ボタンと称す）３１２の場合である。ＰＣ本体３０には補助電源３０５によって給電されているリモコン受信部３１０が搭載されており、リモコン受信部３１０はリモコンデータ信号３２０を介して、システムＬＳＩ３０２が備えるリモコン制御部３０８に接続されている。リモコン制御部３０８もまた補助電源３０５によって給電されている。リモコン制御部３０８はリモコンコード保持手段とリモコンコード判別手段とを備えており、受信したリモコンコードがリモコンコード保持手段に予め格納されたリモコンコードと一致した場合には、電源制御部３０６に対して電源オン要求信号３１９を出力することができる。リモコン電源ボタン３１２で電源を投入する場合、リモコンコード保持手段には、リモコン電源ボタン３１２が押下された時にリモコン３１５が送出するリモコンコードが格納されている。リモコン制御部３０８から電源オン要求信号３１９を受信した電源制御部３０６は、本体電源ボタン信号３１７の場合と同様に電源ユニット３０３に対して電源オン信号３１６を出力する。
【０００８】
最後に、キーボードに備えられている電源ボタン（以下、ＫＢ電源ボタンと称す）１３の場合である。なお、キーボードは電波による無線接続型のキーボード（以下、無線ＫＢと称す）１１として説明する。無線ＫＢ１１を使用する場合、ＰＣ本体には無線ＫＢ１１と通信を行う無線電波受信ユニット（以下、ＲＦレシーバと称す）３０９が搭載される。ＲＦレシーバ３０９には、電波送受信回路、キーコード生成回路、送信バッファ、ホストインターフェース回路とが備えられており、ホストインターフェース回路にはＵＳＢが使用されるのが一般的である。ＲＦレシーバ３０９もまた、補助電源３０５によって給電されている。ＰＣの電源がオフ状態である時、ホストインターフェース回路に使用されるＵＳＢ信号３２１は、ＵＳＢの仕様で定義されているサスペンドステートに移行している。この時、ＲＦレシーバ３０９が接続されているＵＳＢホスト制御部３０７は、ＵＳＢの仕様で定義されているレジューム信号がＲＦレシーバ３０９から送信されるのを待っている状態である。ＫＢ電源ボタン１３が押下されると、無線ＫＢ１１はＫＢ電源ボタン１３のキーコードをＲＦレシーバ３０９に送信する。当該キーコードを受信したＲＦレシーバ３０９は、ＵＳＢ信号３２１に対してレジューム信号を出力する。ＵＳＢホスト制御部３０７は、電源制御部３０６に対して電源オン要求信号３１８を出力することができ、ＲＦレシーバ３０９からレジューム信号を受信すると、電源オン要求信号３１８を電源制御部３０６に出力する。電源オン要求信号３１８を受信した電源制御部３０６は電源ユニット３０３に対して電源オン信号３１６を出力する。以上が、３つの各電源ボタンが押下されてから電源が投入されるまでのＰＣ内部の動作説明である。
【０００９】
上記のＴＶ機能付きＰＣは、例えば特許文献１に記載されている。
【００１０】
【特許文献１】特開２００１−１００８７１号公報
【発明の開示】
【発明が解決しようとする課題】
【００１１】
前述したように、キーロック手段はなるべく簡単かつ手軽に利用でき、かつ、ＤＶＤ再生機能を利用しているような電源オン状態と電源オフ状態とで、同一のキーロック操作方法となることが好ましい提供形態である。例えば、キーロック切替スイッチと、図３における電源ボタン信号３１１、リモコンデータ信号３２０、ＵＳＢ信号３２１とを電気的に遮断できる手段とを設けて、キーロック切替スイッチをロック側に操作した時は前述の信号を遮断するという手段が考えられる。この手段によれば、電源ボタン信号３１１とリモコンデータ信号３２０に対しては、所望のキーロック手段が得られる。
【００１２】
ところが、ＵＳＢ信号３２１に対しては、キーロック切替スイッチを非ロック側に操作しても、ＫＢ電源ボタン１３ではＰＣの電源投入ができない。なぜなら、前述したように電源オフ状態のＵＳＢ信号３２１はサスペンドステートに移行している。この時、ＵＳＢ信号３２１を電気的に遮断すると、ＵＳＢホスト制御部３０７はＵＳＢの仕様で定義されている切断イベントが発生したと判別する。この後、キーロック切替スイッチを非ロック側に操作してＵＳＢ信号３２１を電気的に再接続しても、ＵＳＢ信号３２１は遮断前のサスペンドステートには移行しない。ＵＳＢ信号３２１が再接続されると、ＵＳＢホスト制御部３０７はＵＳＢの仕様で定義されている接続イベントが発生したと判別するが、その後、ＲＦレシーバ３０９との通信を開始するには、ＣＰＵ３０１による所定の初期化処理が実施される必要がある。即ち、電源オフ状態でのＫＢ電源ボタン１３の閉塞解除を実現することができない。
【００１３】
本発明の目的は、上記課題を解決し、ＰＣが電源オフ状態でも閉塞と閉塞解除ができるキーロック手段を提供することにある。
【課題を解決するための手段】
【００１４】
上記の課題は、キーボードから受信したキーコードおよびマウスから受信したマウスデータのホストへの送信と、レジューム信号のホストへの送信とを実行する第一の動作モードと、キーボードから受信したキーコードおよびマウスから受信したマウスデータのホストへの送信と、レジューム信号のホストへの送信とを実施しない第二の動作モードと、を具備し、さらに、第一の動作モードと第二の動作モードのうち、どちらのモードで動作しているかを示す動作モード信号と、を備えたＲＦレシーバと、ＲＦレシーバから出力される動作モード信号に連動して作動するスイッチ回路を本体電源ボタン信号およびリモコンデータ信号に備えたＰＣに搭載することによって解決される。
【００１５】
前述したように、ＲＦレシーバは補助電源によって給電されているため、ＰＣの電源オフ状態であっても、第一の動作モードと第二の動作モードとの切替制御が可能である。また、動作モード信号によって、本体電源ボタン信号とリモコンデータ信号の遮断および再接続も同時に制御可能であり、所望のキーロック手段を実現できる。
【発明の効果】
【００１６】
本発明によれば、キーボード上のキーもしくはコンビネーションキーの押下という簡単手軽な操作でキーロック手段を実現できる。さらに、ＰＣが電源オン状態であっても、同一の操作、即ち、キーもしくはコンビネーションキーの押下操作で、キーロック手段を利用することができる。
【００１７】
さらに本発明によれば、キーロック手段はＲＦレシーバに実装されるので、キーボードやマウスのハードウェアとドライバソフトウェアの変更が不要であるというメリットがある。
【００１８】
またさらに、子供にとっては難しい操作となるコンビネーションキーの利用が可能なので、いたずら防止に対してより効果が期待できるキーロック手段を提供できる。
【発明を実施するための最良の形態】
【００１９】
以下，本発明の詳細について，図面を用いて説明する。
本発明の実施例の構成図を図１に示す。１０は、本発明を実施したＲＦレシーバである。ＲＦレシーバ１０は、キーボード１１およびマウス１２と電波を介して通信するためのアンテナ１０１と、無線信号送受信回路１０２、コード生成回路１０３、動作モード制御手段１０４、ＫＢ電源ボタン判別手段１０５、送信バッファ１０７、ホストインターフェース回路１０８、とで構成されている。なお、一般的なＲＦレシーバにはこれらの以外の構成要素が存在するが、本発明の実施例を説明する上では不要であるため、図中ならびに説明におけるそれらの記述は割愛する。
【００２０】
無線信号送受信手段１０２は、アンテナ１０１を介したキーボード１１およびマウス１２との電波通信制御と、受信した電波信号を電子回路で扱える電気信号に変換する処理とを実施する。キーボードからの電波信号には使用者によって押下されたキーのキーコードが、また、マウスからの電波信号には押下されたボタンのボタンコードあるいは検出された移動距離のデータ（以下、マウスデータと称す）が、それぞれ含まれている。コード生成回路１０３は、無線信号送受信手段１０２から出力された電気信号からこれらのキーコードやマウスデータを抽出し、動作モード制御手段１０４に伝送する。
【００２１】
動作モード制御手段１０４は、コード生成回路１０３から伝送されたキーコードが、判別コード保持手段１１１もしくは判別コード保持手段１１１に格納されているキーコードと一致するか否かを判別する。動作モード制御手段１０４は、送信バッファ１０７へのキーコードおよびマウスデータの伝送制御とロック状態信号１１０の制御とを判別結果に基づいて実施する。送信バッファ１０７に格納されたキーコードやマウスデータは、ホストインターフェース回路１０８とホストインターフェース信号１０９を介してＵＳＢホストに転送される。なお、ホストインターフェース信号１０９はＵＳＢであり、ホストインターフェース回路１０８がＵＳＢホストとのＵＳＢ通信制御を実行している。
【００２２】
１０５は、ＫＢ電源ボタン判別手段である。ＫＢ電源ボタン判別手段１０５は、コード生成回路１０３が生成し、動作モード制御手段１０４を介して伝送されたキーコードがＫＢ電源ボタン１３のキーコードと一致するか否かを判別し、一致した場合には、レジューム要求信号１０６をホストインターフェース回路１０８に出力する。レジューム要求信号１０６を受信したホストインターフェース回路１０８は、ホストインターフェース信号１０９がサスペンド状態の場合に、レジューム信号をホストインターフェース信号１０９に出力する。
【００２３】
以下では、動作モード制御手段１０４の動作についてさらに詳述する。
本実施例では、判別コード保持手段１１１には、使用者が押下したときにキーロック状態となるように定めたキーもしくはコンビネーションキー（以下、ロックキーと称す）のキーコードを、判別コード保持手段１１２には、使用者が押下したときにキーロック状態から復帰するように定めたキーもしくはコンビネーションキー（以下、ロック解除キーと称す）のキーコードを、それぞれ格納する。使用者がロックキーを押下すると、ロックキーのキーコードが動作モード制御手段１０４に伝送される。当該キーコードは判別コード保持手段１１１に格納されたキーコードと一致するので、動作モード制御手段１０４は、以後に受信したキーコードやマウスデータを送信バッファ１０７とＫＢ電源ボタン判別手段１０５に伝送する制御を停止する。さらに動作モード制御手段１０４は、コード状態信号１１０にロック状態を示す信号を出力する。
【００２４】
以上の動作によってキーコードおよびマウスデータおよびレジューム信号がホストインターフェース信号１０９を介してＵＳＢホストに伝送されないようになる。一方、動作モード制御手段１０４は、送信バッファ１０７とＫＢ電源ボタン判別手段１０５にキーコードやマウスデータを伝送する制御を停止している状態でも、受信したキーコードやマウスデータに対しては常にコード判別手段に格納されたキーコードとの判別処理を実施している。使用者がロック解除キーを押下すると、ロック解除キーのキーコードが動作モード制御手段１０４に伝送される。当該キーコードは判別コード保持手段１１２に格納されたキーコードと一致するので、動作モード制御手段１０４は、以後に受信するキーコードやマウスデータを送信バッファ１０７とＫＢ電源ボタン判別手段１０５に伝送する制御を再開する。
【００２５】
さらに動作モード制御手段１０４は、コード状態信号１１０にロック解除状態を示す信号を出力する。以上の動作によってキーコードおよびマウスデータおよびレジューム信号が再びホストインターフェース信号１０９を介してＵＳＢホストに伝送されるようになる。
【００２６】
次に、ＲＦレシーバ１０をＰＣに搭載した実施例について、図４を用いて説明する。図４に示すＰＣの構成と図３に示した構成との違いは、電源ボタン信号３１７とリモコンデータ信号３２０に、信号の遮断と再接続を実施する切替回路４０１を備えたことである。切替回路４０１にはＲＦレシーバ１０から出力されるロック状態信号１１０が接続されており、ロック状態信号１１０の状態によって切替回路４０１が動作する。ロック状態信号１１０がロック状態を示す場合には切替回路４０１は遮断状態となり、ロック状態信号１１０がロック解除状態を示す場合には切替回路４０１は接続状態となる。即ち、切替回路４０１は、前述したＲＦレシーバ１０の一連の動作によって出力されるロック状態信号１１０の状態と連動して遮断と再接続の動作をする。
【００２７】
図４に示したＰＣによれば、電源オン状態と電源オフ状態の双方の状態において、使用者によるロックキーの押下後は、キーボード１１とマウス１２、さらには、リモコン３１５と電源ボタン３１１の操作がシステムＬＳＩ３０２に伝送されなくなるので、操作手段の全てが閉塞された状態を実現できる。また、使用者によるロック解除キーの押下後は、キーボード１０とマウス１２、さらには、リモコン３１５と電源ボタン３１１の操作がシステムＬＳＩ３０２に再び伝送されるようになるので、閉塞が解除された状態を実現できる。
【００２８】
ところで、キーボード１１は一般に電池駆動であり、電池が消耗するとキーコードを送信することができなくなる。ＲＦレシーバ１０は、キーボード１１から送信されるキーコードによって操作手段の閉塞と解除を制御しているため、キーボード１１の電池が消耗した場合、使用者が操作手段の閉塞と解除を実施することができなくなる。ＲＦレシーバ１０は補助電源によって給電されているため、ＰＣに接続されているＡＣコードを遮断、再接続することで、ロック状態信号１１０をロック解除状態にするように動作モード制御手段１０４を設計することは容易に実現可能である。
【００２９】
このように、キーボード１１の電池が消耗した場合を想定すると、ＲＦレシーバ１０に次のような制御を付け加えると使用者の使い勝手が向上する。即ち、キーボード１１の電池残量が所定の値を下回った場合は、ロック解除状態に自動で移行する制御である。この制御は、例えば次のような手段によって実現できる。キーボード１１に電池残量検出手段を設け、所定電池残量を下回ったことを検出した場合には所定のコードを送出する。さらに、動作モード制御手段１０４に、第三のキーコード保持手段を設け、所定の電池残量を下回った時にキーボード１１が送出するコードを保持しておく。動作モード制御手段１０４は、受信するキーコードに対する判別処理を第三のキーコード保持手段に対しても常に実施し、コードが一致した場合は、送信バッファ１０７およびＫＢ電源ボタン判別手段１０５へのキーコード伝送を再開する。
【００３０】
次に、本発明を実施した第二の実施例について、図２を用いて説明する。図１に示した実施例と図２に示す実施例との違いは、判別コード保持手段の有無である。図２に示した実施例の動作モード制御手段１０４は、判別コード保持手段を持たず、代わりに、動作モード指示手段２０１が接続されている。動作モード制御手段１０４は、動作モード指示信号２０２の状態に基づいて動作モードの切り替え制御を実施する。動作モード指示手段２０１は、例えば切替スイッチである。使用者は、当該スイッチの切り替え操作を実施することにより、ロックおよびロック解除の操作が可能である。本実施例は、動作モード制御手段１０４の制御が単純化されるメリットがある一方、動作モード指示手段２０１を追加するための部品コストがデメリットになる。
【００３１】
ところで、上述したＲＦレシーバ１０、ＲＦレシーバ２０ともに、切替回路４０１が備わっていないＰＣにも適用することができる。この場合、ロック状態信号１１０は本体電源ボタン信号３１７とリモコンデータ信号３２０に作用しないので、本体電源ボタン３１１やリモコン３１５の操作を閉塞することはできない。しかし、キーボード１１やマウス１２の操作を閉塞することは可能である。例えば、ＰＣの編集ソフトウェアを使って書類を作成している最中に、何らかの資料やファイルなどを参照する場合に利用すると、資料冊子の端でキーを押してしまうといった誤操作（誤入力）を防ぐのに役立つ。
【００３２】
また、ロック状態信号１１０がロック状態である場合に一定の時間間隔でシフトキーのキーコードあるいはＰＣのソフトウェアの動作に影響を与えないキーのキーコードを送信バッファ１０７に送信する機能をＲＦレシーバ１０やＲＦレシーバ２０の動作モード制御手段に追加すると、使用者がロックキーを押下した後も、システムＬＳＩ３０２はキーボード１１が使用者によって操作されていると認識する。この作用を利用すると、例えばプレゼンテーションの最中にＰＣのスクリーンセーバーが起動しないように、あるいは、ＰＣが節電モードに移行しないように設定する操作を行う場合に、ロックキーの押下という簡単な方法で設定できるようになる。
【図面の簡単な説明】
【００３３】
【図１】本発明の実施例の構成図である。
【図２】本発明の第二の実施例の構成図である。
【図３】従来ＰＣの構成図である。
【図４】本発明を実施したＰＣの構成図である。
【符号の説明】
【００３４】
１０…ＲＦレシーバ，１１…キーボード，１２…マウス，１３…ＫＢ電源ボタン，
１０１…アンテナ，１０２…無線信号送受信回路，１０３…コード生成回路，
１０４…動作モード制御手段，１０５…ＫＢ電源ボタン判別手段，
１０６…レジューム要求信号，１０７…送信バッファ，
１０８…ホストインターフェース回路，１０９…ホストインターフェース信号，
１１０…ロック状態信号，１１１…判別コード保持手段２，
１１２…判別コード保持手段１
２０…ＲＦレシーバ，２０１…動作モード指示手段，２０２…動作モード指示信号、
３０…ＰＣ，３０１…ＣＰＵ，３０２，システムＬＳＩ，３０３…電源ユニット，
３０４…主電源給電ライン，３０５…補助電源給電ライン，３０６…電源制御部，
３０７…ＵＳＢホスト，３０８…リモコン制御部，３０９…ＲＦレシーバ，
３１０…リモコン受信部，３１１…本体電源ボタン，３１２…リモコン電源ボタン，
３１５…リモコンユニット，３１６…電源オン信号，３１７…本体電源ボタン信号，
３１８…電源オン要求信号，３１９…電源オン要求信号，
３２０…リモコンデータ信号，３２１…ＵＳＢ信号、４０１…切替回路
【図１】
2008046939.tif 000003
【図２】
2008046939.tif 000004
【図３】
2008046939.tif 000005
【図４】
2008046939.tif 000006